(57)【要約】【課題】  本体の後処理を行っている状態でも、ＨＤＤがすぐに取り外すことができ、リムーバブル対応ができるようになること。【解決手段】  後処理制御プログラムを半導体メモリにもたせる。また、半導体メモリの電源HDD制御系の電源とは別にする。  本体と後処理制御通信を行う通信機能を半導体メモリ制御系の電源駆動で行う。  これよりシャットダウン設定を行った後、すぐにHDD制御電源系の電源を半導体メモリ制御系の電源落とす制御により、落とすことができる。【選択図】  図３
2010247444.tif 000002
【特許請求の範囲】
【請求項１】
ハードディスクを持つ画像形成装置コントローラユニットにおいて，
ハードディスク駆動制御系の回路と別に半導体メモリを制御するCPU系の制御回路部を有し，ハードディスク駆動制御系の回路を駆動する電源と半導体メモリを制御する制御回路部を駆動する電源を別に分けて、半導体メモリを制御する回路でハードディスク制御系の電源を落とす制御ができるコントローラユニットにおいて、
本体との通信制御信号をハードディスク制御回路部と半導体メモリ制御回路部の両方に有し，半導体メモリ制御電源で制御する先の2つの制御信号を本体と接続するのを選択する選択回路を有することを特徴とするコントローラユニット。
【請求項２】
本体の電源を停止する指示を出した後、本体を停止させるため後処理を行う制御ソフトを半導体メモリに有し，本体の停止指示がされた後に，半導体メモリの制御でハードディスク制御回路電源を落とし，本体との通信制御を半導体メモリ制御回路で行う選択を行い，半導体メモリ内の本体後処理制御ソフトを用いて，後処理制御を行うことを特徴とするコントローラユニット。
【発明の詳細な説明】
【技術分野】
【０００１】
ハードディスク装置を備えた複合機（複写機、プリンタ、スキャナ、ファクシミリ等の複合機）であって、それらのハードディスクの動作制御に関するものである。
【背景技術】
【０００２】
・コントローラ部がシャットダウンした後に所定時間ごとにプリンタの後処理動作が必要になることがある。従来その動作のためだけにハードディスク内のソフトによってコントローラが起動していた。
【０００３】
・コントローラ部がシャットダウンできる状態にもかかわらず、プリンタの後処理が実行されている期間中はコントローラ部も通電され動作していた。
【０００４】
・ここでいうプリンタの後処理とは、機内のオゾンを排出ファンを所定時間回転させることで排出し、感光体への影響を除く動作、あるいは機内の高温が長時間持続することによるトナーの固化を防止するために排熱を行う動作、あるいは感光ドラムにブレード等が長時間当接することで感光ドラムに跡が残存する現象が現れる場合があるものを防止するために感光ドラムを所定時間ごとに回動する、あるいは感光ドラムを一定時間毎に回転させることで、感光ドラムにブレードが長時間等接することによる画像への影響を抑圧するための動作である。
【０００５】
・コントローラ部のCPUの処理内容は、複合機として動作するための操作パネル制御、スキャナ制御、画像処理部の制御、ネットワークからの印刷等のコマンドの通信制御、印刷を行うためのプリンタ部と通信制御等である。省電力モード時にはこれらの動作は停止するためコントローラ部のCPUへの通電を停止していた。
【０００６】
・また従来はコントローラ部のCPUが上述したプリンタの後処理を実行するためのプリンタ制御を行っていた。このためプリンタの後処理を実行するときはコントローラ部が起動している必要があった。
【０００７】
関連技術として、下記特許文献１をあげることが出来る。
【先行技術文献】
【特許文献】
【０００８】
【特許文献１】特開平6-274251号公報
【発明の概要】
【発明が解決しようとする課題】
【０００９】
・コントローラ部がシャットダウンして装置の電源を落とせる状態にもかかわらず、先に述べたようなプリンタの後処理が必要ですぐに装置の電源を落とせない場合がある。
【００１０】
・ユーザーはシャットダウンの設定をすれば機器が自動に後処理を終えた後に機器の電源をコントローラ部が装置の電源をオフするので、設定をすればすぐに機器を離れることができる。
【００１１】
・しかし、最近  MFPのデータを保護するために1日の使用を終えてユーザーが機器の電源を落としてから、ハードディスクを取り外して保管管理することができるリムーバルディスク構成になっている機器が増えている。
【００１２】
・先に述べたようにシャットダウンを設定して、ハードディスク内の後処理制御ソフトによって、後処理を行わせていると、シャットダウン設定をしてから、後処理を終えるまで電源は落とせない。
【００１３】
・よってユーザーはすぐに電源が落ちたハードディスクを取り外して保管管理することができない。
【００１４】
・更に後処理を行うためにハードディスクをONさせておくことは加えてハードディスクを制御する回路部、ハードディスクと同じ電源で稼動していて、電源を入れておく必要がない部位の電源も入った状態になっている。
【００１５】
・ハードディスク電源を落とすことができれば他の部位の電源も落とすことできるので、装置の省エネのためにもハードディスク電源をシャットダウン設定後にすぐ落とすことが必要になる。
【課題を解決するための手段】
【００１６】
後処理制御プログラムを半導体メモリにもたせる。また、半導体メモリの電源はHDD制御系の電源とは別にする。
【００１７】
半導体メモリの電源制御系によるHDD制御系の電源を落とす制御手段を持たせる。
【００１８】
本体と後処理制御通信を行う通信機能をHDD制御系電源駆動と半導体メモリ制御系の電源駆動で行う2系統をもつ。
【００１９】
通常動作時の通信制御はHDD制御系の電源駆動で行う通信機能が選択され、シャットダウン設定を行った時には半導体メモリ制御系の電源での制御を行う通信機能を選択する選択手段を持つ。
【００２０】
シャットダウン設定を行った後、すぐにHDD制御電源系の電源を半導体メモリ制御系の電源落とし制御により、落とすことができる。
【発明の効果】
【００２１】
本体の後処理を行っている状態でも、ＨＤＤがすぐに取り外すことができ、リムーバブル対応ができるようになることが本アイデアの主目的で,ＨＤＤ電源がシャットダウン設定をした後にすぐ落とせる構成なので,従来より結果的に省エネを行うこともできる。
【図面の簡単な説明】
【００２２】
【図１】システム構成の一例図。
【図２】複合機の内部を詳しく表したブロック図。
【図３】本発明のコントローラシステムの構成を概略的に示したブロック図。
【図４】従来のコントローラで本体との後処理を行っていたブロック図。
【図５】本発明における実施例を示すコントローラブロック図。
【図６】本発明の実施例の操作の流れを示す図。
【発明を実施するための形態】
【００２３】
以下添付図面を参照して、本発明に係る好適な実施の形態例を詳細に説明する。
【００２４】
＜画像形成システム構成＞
図１は、本発明のデジタル複写機で構成するシステムの構成の一例を示す。
【００２５】
図中の304はインターネット通信網である。303はファイアーウォールであり、これにより下に図示したＬＡＮ40内部と外部通信網（インターネット304）とを接続し、セキュリティー管理などを行う。
【００２６】
302はＬＡＮ40で接続された10・20・21・301の各機器管理サーバーである。301はファイルサーバであり、ＬＡＮで接続された複数のユーザーがデータを共有することができる。
【００２７】
10はデジタル複写機などのデジタル複写機であり、主に画像の入出力機能を有する。このデジタル複写機10において、180はユーザーが各種の操作を行うための操作部、140は操作部180やホストPC21、22からの指示にしたがって画像を読み取るためのイメージスキャナ、120はホストPC21、22やファイルサーバ301からのデータを用紙に印刷するプリンタである。
【００２８】
100はコントローラユニットであり、操作部180やホストPC21、22からの指示に基づいてスキャナ140、プリンター120に対する画像データの入出力の制御を行う。例えば、スキャナ140が取り込んだ画像データをコントローラ内部のメモリに蓄積したり、ホストPC21、22に出力したり、あるいはプリンター120で印刷するなどの制御を行う。
【００２９】
また、デジタル複写機10は省電力モード及び、電源ON時もしくはスリープモードからの復帰時に、デジタル複合機が持っているコピー・FAX・SEND・プリンタ等複数の機能のうちのある機能を優先的に立ち上げる手段を有する。
【００３０】
図２は、ＭＦＰ２００の内部を詳しく表したブロック図である。
【００３１】
図２における２００は、原稿画像を読み取るイメージリーダ部２０１と、イメージリーダ部２０１で読み取った画像データを再現するプリンタ部２０２とに大きく分けられる。
【００３２】
イメージリーダ部２０１は、400dpi（dots／inch）の解像度で原稿を読み取り、デジタル信号処理を行う部分である。プリンタ部２０２は、イメージリーダ部２０１によって読み取られた原稿画像に対応した画像を1200dpiの解像度で指定用紙にフルカラープリント出力する部分である。
【００３３】
イメージリーダ部２０１において、原稿台ガラス（以下、プラテン）２０３上の原稿２０４は、ランプ２０５で照射され、ミラー２０６，２０７，２０８に導かれ、レンズ２０９によって、集光された光を電気信号に変換する３ラインセンサ（以下、ＣＣＤ）２１０上に像を結び、フルカラー情報レツド（Ｒ）、グリーン（Ｇ），ブルー（Ｂ）成分として信号処理部２１１に送られる。
【００３４】
なお、２０５，２０６を固定しているキヤリツジは速度ｖで、２０７，２０８は速度１／２ｖでラインセンサの電気的走査（主走査）方向に対して垂直方向に機械的に動くことによって、原稿全面を走査（副走査）する。
【００３５】
読み取られた画像は、不図示のメモリ内部に格納されていく。次にメモリ内部から再び画像データが読みだされ、信号処理部２１１においては、読み取られた画像信号を電気的に処理し、マゼンタ（Ｍ），シアン（Ｃ），イエロー（Ｙ），ブラツク（Ｂｋ）の各成分に分解し、プリンタ部２０２に送る。
【００３６】
また、イメージリーダ部２０１における一回の原稿走査につき、Ｍ、Ｃ、Ｙ、Ｂｋのうちひとつの成分がプリンタ部２０２に送られ、計４回の原稿走査によって、一回のプリントアウトが完成する。
【００３７】
イメージリーダ部２０１より送られてくるＭ、Ｃ、Ｙ、Ｂｋの各画像信号は、レーザドライバ２１２に送られる。レーザドライバ２１２は、送られてきた画像信号に応じ、半導体レーザ２１３を変調駆動する。レーザ光は、ポリゴンミラー２１４，ｆ−θレンズ２１５，ミラー２１６を介し、感光ドラム２１７上を走査する。
【００３８】
２１８は回転現像器であり、マゼンタ現像部２１９、シアン現像部２２０、イエロー現像部２２１、ブラツク現像部２２２より構成され、４つの現像部が交互に感光ドラム２１７に接し、感光ドラム上に形成された潜像現像をトナーで現像する。
【００３９】
２２３は転写ドラムであり、用紙カセツト２２４または２２５より供給される用紙をこの転写ドラム２２３に巻き付け、感光ドラム上に現像された像を用紙に転写する。
【００４０】
この様にして、Ｍ、Ｃ、Ｙ、Ｂｋの４色が順次転写された後に、用紙は定着ユニツト２２６を通過して、トナーが用紙に定着された後に排紙される。
【００４１】
図３は前記ＭＦＰにおける、コントローラユニットの構成を詳細に示したものである。
【００４２】
100はコントローラユニットであり、スキャナ140 ,プリンタ120を接続し、画像情報の入出力を行う為のコントローラである。
【００４３】
1100はCPU-1で、コントローラの各部の制御 を行うためのものである。ここで、CPU-1はシステム全体の制御をおこなう位置づけにあるが省エネ時には電源をOFFされるものである。
【００４４】
1101はCPU-2で省エネ時にシステムの制御を行うためのもので省エネから復帰するための制御を主に行うものである。
【００４５】
1102はCPU-2で制御されるSRAMでデータ保持機能を持つ。
【００４６】
省エネ時には稼動する部分である。
【００４７】
1120はROMであり、前記 CPU-2が動作するためのプログラムや、画像データを生成するためのフォントデータなど が格納されている。
【００４８】
1110はRAMであり前記CPUが演算した結果や、プリンタが扱う画像データなどを一時的に記憶しておくためのものである。
【００４９】
120はプリンタ部で、紙などの記録媒 体に画像を形成するための部分である。電子写真方式やバブルジェット（登録商標）方式など様々 な形式のプリンタ部が存在する。
【００５０】
1300はプリンタインターフェース部であり、前記プリンタ部とI/Oバスを接続するためのものであり、CPUの指示に従って1100のRAMに格納されている画像データを120のプリンタ部へ転送することが可能である。
【００５１】
1130はハードディスクドライブ（HDD）であり、画像データのスプールを行ったり、1100のCPUが様々の処 理を行うためのプログラムなどを格納させておくためのものである。また、後に述べる後処理を行うプログラムも格納される。
【００５２】
1200はネット ワークインターフェースコントローラであり、40に示したローカルエリアネットワークへ接続するために使用される。
【００５３】
1210はローカルインターフェースであり、ホストPC30などと1100のCPUが通信などを行うためのインターフェース回路である。
【００５４】
通信形態はシリアル通信や、バイセントロインターフェース、またはBluetoothなどの 無線通信などの形式がある。操作部180における入力操作によってネットワーク上のホストPC20や図示しない出力用画像データ管理装置から操作部180による入力操作に応じた出力用画像データを受信して画像出力を行う。
【００５５】
Modem1220は公衆回線60に接続し、データの入出力を行う。
【００５６】
カードリーダI/F1230は、ICカード等の認証カード70からデータの読み出し可能な外部I/Fである。
【００５７】
図示しないがリムーバルメディアI/Fにし、ユーザーデータ等の読み出しができればなんでも良く、カードに限る必要はない。
【００５８】
操作部I/F1500は操作ユニット(UI)180とのインターフェース部で、操作ユニット180に表示する画像データを操作ユニット180に対して出力する。また、操作ユニット180から本システム使用者が入力した情報を、CPU1100に伝える役割をする。
【００５９】
メール制御部1700はメール送信手段であるSMTPプロトコルとメール受信手段であるPOP3プロトコルを載せている。CPU1100は受信した電子メールに含まれるコマンドを処理し，画像印刷装置の状態情報を装置より取得し，状態情報をRAM1110に記憶する制御を行う。
【００６０】
操作ユニット180は操作部(表示部含む)2000と機能選択部2010より成り、機能選択部2010は、デジタル複合機が持っているコピー・FAX・SEND・プリンタ機能のうち、どの機能を優先的に立ち上げるかをユーザに選択させるための操作部である。
【００６１】
電源をONする仕組みを有する電源部200と操作部IF1500に接続されている。
【００６２】
140はスキャナ 部で、不図示の原稿台に置かれた原稿から読み取った光学的な信号を、CCDなどを用いて電子データに変換し、その電子データを転送するための部分である。
【００６３】
1400はスキ ャナインターフェース部であり、前記スキャナ部とI/Oバスを接続するためのものであり、1100のCPUの指示に従って、前記スキャナから転送される原稿を読み取った電子データ を、1110のRAMに転送することが可能である。
【実施例１】
【００６４】
図４に従来の実施例を説明する図を示す。
【００６５】
ここで太線で囲んでいるのはCPU-1 1100を中心とした操作部、ハードディスク1130,その他  図中には示さないが省エネ時には電源を落とす部位を示す。
【００６６】
図内操作部でユーザーがシャットダウン操作を行う。
【００６７】
1130HDD内に入っている本体との後処理プログラムで後処理を行う。
【００６８】
1300のプリンタI/Fで本体の後処理が終了したかの通信制御を行い、後処理が終了したのを確認したら、電源を落とす機能を持つ遮断部1105で全システムの電源200を落とす。
【００６９】
ここで、ハードディスクの電源が落ちることになり、従来の構成では、リムーバルの構成であったとしても、シャットダウン設定を行った後すぐに、ハードディスクの電源を落とすことはできない。
【００７０】
図５に本発明の実施例を説明する図を示す。
【００７１】
省エネ時にシステムを制御する1101 CPU-2が制御するROM1120にシャットダウン後に行う後処理のプログラムを入れる。
【００７２】
本体と後処理を終了したかの通信制御を行う制御信号1107を1101 CPU-2が制御するシステムに設置する。
【００７３】
従来の1100 CPU-1システムで制御していた本体と通信する制御信号1106と新規に設置した通信信号1107を選択する選択部1108を設ける。
【００７４】
1102  CPU-2で制御するセレクタで選択する信号1108を設ける。
【００７５】
図5、図6より本発明実施例の操作フローの説明を行う。
1.シャットダウン設定を操作部より行う。
2.CPU-1がシリアル通信信号1106で本体に後処理を開始させる。
3.CPU-2が選択信号1109で通信信号1107を本体と接続する。
4.CPU-1はハードディスク1130を止められるように行っている処理を終了させる。
5.CPU-2が電源遮断部1105より、CPU-1を稼動している省エネ時には落とせる部位の電源をOFFする。
【００７６】
ここで、ユーザーはリムーバル構成のハードディスクを取り外して、装置から離れることができる。
6.CPU-2が制御するROM1120内に移した後処理プログラムより本体と通信信号1107より通信を行う。
7.CPU-2は本体との通信で後処理が終了するのを管理する。
8.本体が後処理を終了したのを認識したら、CPU-2は電源遮断部1105より電源部200を落として本体電源全部を落とす。
【図１】
2010247444.tif 000003
【図２】
2010247444.tif 000004
【図３】
2010247444.tif 000005
【図４】
2010247444.tif 000006
【図５】
2010247444.tif 000007
【図６】
2010247444.tif 000008